(57)【要約】【課題】持つ人がいない場合に、設置台がなくても最適な位置に配置させることができ、かつ屋外で風が吹いても倒れたり移動したりすることを防止できるようにした工事黒板を提供する。【解決手段】工事黒板本体１の両端に、２枚の側板５を蝶番６により取付ける。工事黒板本体１及び２枚の側板５の下面に、水平方向に回転自在のコネクター７を取付け、長手方向に伸縮自在の棒８を、垂直方向に所定の角度回転可能なようにコネクター７に取付ける。２枚の側板５の工事黒板本体１とは反対側の端面に永久磁石９を取付ける。また、外周側から内側に向けて円周上３箇所の溝を設けた小円板を付属させる。これにより、持つ人がいない場合に、設置台がなくても最適な位置に配置させることができ、かつ屋外で風が吹いても倒れたり移動したりすることを防止できる。【選択図】  図１
2009137017.tif 000002
【特許請求の範囲】
【請求項１】
工事黒板本体の両端に、２枚の側板の各々を所定の取付け手段により取付け、前記工事黒板本体及び前記２枚の側板の下面の所定位置に、水平方向に回転自在のコネクターをそれぞれ取付け、長手方向に伸縮自在の棒を、垂直方向に所定の角度回転可能なように前記コネクターにそれぞれ取付け、前記２枚の側板の各々の、工事黒板本体とは反対側の端面を固定する固定手段を取付けたことを特徴とする工事黒板。
【請求項２】
前記棒を固定するために外周側から内側に向けて設けた３箇所の溝を有する固定部材を付属させたことを特徴とする請求項１に記載の工事黒板。
【請求項３】
前記２枚の側板の各々は、前記前記工事黒板本体の幅の１／２より小さい幅を有し、一端面が工事黒板本体に接続され、他端面に溝が設けられた側板本体と、前記溝に出し入れ可能に挿入され、端面に固定手段が取付けられた補助板とからなるものであることを特徴とする請求項１に記載の工事黒板。
【発明の詳細な説明】
【技術分野】
【０００１】
本発明は、公共設備の工事等において、工事の写真撮影の際に工事内容を説明するために用いる工事黒板に関する。
【背景技術】
【０００２】
従来の工事黒板の構造について、図１０から図１２を参照して説明する。図１０は従来の工事黒板の構成を示す斜視図、図１１は図１０のＣ方向矢視図、図１２は使用状態を示す図である。図１０に示す工事黒板本体１は、縦方向の高さが約５００ｍｍ、横方向の幅が約７００ｍｍ、厚さが約５ｍｍ程度の木製の板が用いられ、表面には緑色の塗装が施されるのが一般的である。なお、図１１に示すように工事黒板本体１の裏側には、４辺の外縁と横方向の中央に補強用の木製の角棒２が接着剤等で貼り付けられている。この工事黒板本体１の裏側の横方向中央の補強用の角棒２には、鋼製の棒３の一端が金具４ａにより回動可能なように固定され、鋼製の棒３の他端は金具４ｂにより着脱可能なように取付けられている。
【０００３】
工事施工前、施工中、施工後などにおいて工事状況を記録するために写真撮影を行う際、その撮影内容の説明を工事黒板本体１の表面に白色のチョーク等を用いて記載し、工事黒板本体１に記載した説明文が見え易いように工事黒板を撮影すべき対象物に添えて撮影する。
【０００４】
工事施工中には人が多くいるため、写真撮影時に工事黒板を持つ人がいるが、工事施工後において、完成写真を撮影するときにはひとりで写真撮影をする場合が多い。工事黒板を持つ人がいる場合には工事黒板を最適な位置に配置させることができるが、工事黒板を持つ人がいない場合には、上述のような構成の工事黒板では、工事黒板を最適な位置に固定することが難しい場合がある。
【０００５】
例えば、地面から高い位置を撮影する場合、上述のような構成の工事黒板では、図１２に示すように工事黒板本体１を地面に固定し、鋼製の棒３により支えることしかできないため、撮影対象物と工事黒板の両方が写るように遠くから撮影せざるを得なく、撮影対象物も工事黒板の説明文も見えにくくなるという問題がある。
【０００６】
また、鋼製の棒３の工事黒板本体１を支える力は弱く、地面にしっかりと固定ができないため、屋外で撮影する場合には、風が吹くと工事黒板が倒れたり、工事黒板が移動したりするため、風がおさまるのを待たざるを得ないという問題点もある。
【０００７】
上記のような問題点を解決する手段として、特許文献１には、工事黒板本体の下縁に工事黒板本体の設置角度を自在に可変とする支持具を取付け、工事黒板本体の裏面に吸着材とフックを取付けることが記載されている。
【特許文献１】特開２００３−５４１８８号公報
【発明の開示】
【発明が解決しようとする課題】
【０００８】
しかしながら、特許文献１に記載のものでは、地面より高い場所に工事黒板を設置するには、吸着材を貼り付けるかフックを引っ掛ける場所が必要である。製品には、そのような場所がない場合が多いし、もしあったとしても、工事黒板が被写体と密着し過ぎ、適正な位置に工事黒板を設置することが難しいという欠点がある。
【０００９】
また、屋外において、地面に工事黒板を置いて撮影する場合には、工事黒板本体の裏面に取付けた吸着材もフックも役に立たず、工事黒板本体の下縁に取付けた支持具だけで支えることになり、風が吹いた場合には、揺れたり移動したりするのを完全に防止することができないという欠点がある。
【００１０】
本発明は上記欠点に鑑みて為されたものであり、その目的は、持つ人がいない場合に、設置台がなくても最適な位置に配置させることができ、かつ屋外で風が吹いても倒れたり移動したりすることを防止できるようにした工事黒板を提供することにある。
【課題を解決するための手段】
【００１１】
上記目的を達成するために、本発明に係る工事黒板は、工事黒板本体の両端に、２枚の側板の各々を所定の接続手段により取付け、工事黒板本体及び２枚の側板の下面の所定位置に、水平方向に回転自在のコネクターをそれぞれ取付け、長手方向に伸縮自在の棒を、垂直方向に所定の角度回転可能なようにコネクターにそれぞれ取付け、２枚の側板の各々の、工事黒板本体とは反対側の端面を固定する固定手段を取付けたことを特徴とする。
【発明の効果】
【００１２】
本発明によれば、工事施工終了後の完成写真等をひとりで撮影する場合において、地面より高い位置を撮影する場合でも工事黒板本体を最適な位置に配置させることができる。また、屋外等において地面に工事黒板本体を固定させる場合には風が吹いても安定して写真撮影することができる。
【発明を実施するための最良の形態】
【００１３】
以下、図面を参照して本発明の実施形態について詳細に説明する。なお、以下の図において、従来例を示す図を含めて、同符号は同一部分または対応部分を示す。
【００１４】
（第１の実施形態）
本発明の第１の実施形態に係る工事黒板について、図１〜図６を参照しながら説明する。図１は本発明の第１の実施形態に係る工事黒板の全体の構成を示す斜視図、図２は図１のＡ方向矢視図、図３は図１のＢ方向矢視図、図４は本実施形態の要部拡大図、図５は本実施形態に係る工事黒板の使用状態を示す斜視図、図６は本実施形態に係る工事黒板の他の使用状態を示す斜視図である。
【００１５】
本実施形態の工事黒板は、縦方向の高さが約５００ｍｍ、横方向の幅が約７００ｍｍ、厚さが約５ｍｍ程度の木製の板からなる工事黒板本体１の両端に、それぞれ蝶番６を介して、縦方向の高さが約５００ｍｍ、横方向の幅が工事黒板本体１の横方向の幅の１／２より大きい約５００ｍｍ程度の木製の板からなる側板５が取付けられて構成されている。工事黒板本体１の表面には緑色の塗装が施され、裏面には４辺の外縁補強用の木製の角棒２が接着剤等で貼り付けられている。２つの側板５の工事黒板本体１とは反対側の端面にはそれぞれ永久磁石９が取付けられている。工事黒板本体１及び側板５の下面の所定位置（すなわち、工事黒板本体１の一端の下面、この工事黒板本体１の一端に取付けられた側板５の工事黒板本体１とは反対側の端の下面、および工事黒板本体１の他端に取付けられた側板５の工事黒板本体１側の端の下面）に、水平方向に回転自在のコネクター７が取付けられている。このコネクター７には長手方向に伸縮自在の棒８を固定するとともに、伸縮自在の棒８が垂直方向に回動できるように、コネクター７には円周方向に９０°以上の角度で溝７ａが設けられている。このコネクター７は、図４に示すように、ピン７ｂの一端が固着された内部球体７ｃと、伸縮自在の棒８が固着された外部球体７ｄとからなっている。外部球体７ｄには、伸縮自在の棒８が垂直方向に回転できるように、円周方向に９０°以上の角度に亘って、ピン７ｂが貫通する溝（細長い孔）７ａが設けられている。また、ピン７ｂの他端部は、工事黒板本体１及び側板５の下面の所定位置に、水平方向に回転自在に取り付けられている。
【００１６】
また、図５に示すように、外周側から内側に向けて円周上３箇所の溝１０ａを設けた小円板１０からなる固定部材を、本実施形態の工事黒板に付属させる。なお、この小円板１０の溝１０ａに棒８を挿入したとき、小円板１０が棒８に確実に固定できるように、溝１０ａの内面にゴムなどの弾性体を貼り付けておくとよい。
【００１７】
このような構成の工事黒板を使用して、地面から高い位置を撮影する場合には、図５に示すように、永久磁石９により、２枚の側板５を強固に固定させ、工事黒板本体１と側板５で３角形を形成させ、工事黒板本体１、側板５に取付けた合計３個のコネクター７を約９０°垂直方向に回転させて、それぞれのコネクター７から棒８を交差させながら延ばし、交差する位置の上と下で小円板１０の溝１０ａを棒８に挿入して小円板１０を固定することにより、工事黒板本体１を地面から高い位置に安定した状態で設置させることができる。以上により、例えば屋内において配電盤などの工事施工終了後、地面より高い位置を写真撮影する場合でも、ひとりで工事黒板本体１を最適な位置に配置させて撮影することができる。
【００１８】
特に、この工事黒板本体１および側板５は大きくて重いものであるが、上述のように棒８を交差させ、小円板１０からなる固定部材で固定することにより、工事黒板本体１および側板５を地面から１ｍ位の高さに設置する場合でも、安定して設置することができる。
【００１９】
また、この工事黒板を使用して、屋外で、地面に固定する場合には、図６に示すように、永久磁石９により側板５を固定し、コネクター７から伸縮自在の棒８を取り出し、工事黒板本体１の手前側に棒８を、例えば１．５〜２ｍ程度に伸ばして使用する。この棒８の先端を写真撮影者が踏むことにより、風が吹いても、工事黒板が倒れたり、工事黒板が移動したりすることを防止することができる。このように、屋外で風が吹いていても工事黒板が倒れたり、工事黒板が移動したりすることなく、工事黒板本体１を地面に安定して設置することができ、ひとりで写真撮影することができる。
【００２０】
なお、上記説明では、２枚の側板５の、工事黒板本体１とは反対側の端面を固定するために、各々の側板５に永久磁石９を取付けているが、一方の側板５には永久磁石を取付け、もう一方の側板５には永久磁石に吸着される金属を取付けてもよい。また、２枚の側板５の、工事黒板本体１とは反対側の端面を固定する固定手段は、これに限らず種々の構成とすることができる。例えば、一方の側板に釘を取付け、他方の側板に引っ掛け金具を取付けて固定する構成としたり、一方の側板に穴を設け、他方の側板には穴に差し込んでロックする部材を取付けて差込式で固定する構成としたりすることができる。
【００２１】
（第２の実施形態）
次に、図７を参照して、本発明の第２の実施形態に係る工事黒板について説明する。この第２の実施形態は、上述の第１の実施形態に係る工事黒板において、一方の側板５の表面に、例えば布製の袋１１を取付ける。このように構成させることによって、布製の袋１１内に、２枚の小円板１０を収納させ、小円板１０の紛失を防止することができる。
【００２２】
（第３の実施形態）
次に、図８を参照して、本発明の第３の実施形態に係る工事黒板について説明する。
【００２３】
この第３の実施形態は、上述の第１または第２の実施形態に係る工事黒板において、両側の側板５の各々を、側板本体５Ａと補助板１２とで構成したものである。
【００２４】
側板本体５Ａは横方向の幅が、工事黒板本体１の横方向の幅（７００ｍｍ）の１／２より若干小さくして例えば３２０ｍｍとし、工事黒板本体１とは反対側の端面に溝５ａを設ける。この溝５ａに例えば横方向の幅が２２０〜２５０ｍｍの小さな補助板１２を挿入し、小さな補助板１２の端面に、溝５ａの幅より少し広い幅を有した永久磁石１３を取付けた構成とする。
【００２５】
このような構成とすることによって、写真撮影時には、補助板１２を引き出し、２つの補助板１２同士を永久磁石１３で接触させて固定することで、引き出した補助板１２および側板本体５Ａと工事黒板本体１との間で三角形ができるように立体的に組むことができ、運搬時には補助板１２を押し込むことにより、側板本体５Ａを木製の角棒２の裏側に密着させることができる。この結果、工事黒板を運搬するときに運搬し易くなる。
【００２６】
なお、上記説明では、２枚の補助板１２の端面に、それぞれ永久磁石１３を取付けたが、一方を永久磁石とし、他方をこれに吸着される金属としてもよい。また、他の種々の固定手段とすることもできる。
【００２７】
（第４の実施形態）
次に、図９を参照して、本発明の第４の実施形態に係る工事黒板について説明する。
【００２８】
この第４の実施形態は、上述の第３の実施形態に係る工事黒板において、側板本体５Ａにおける工事黒板本体１とは反対側の端面近傍で、上述の溝５ａの上方または下方の位置、あるいは上方と下方の両方の位置において、片側の側板本体５Ａには小さな釘１４を打付け、反対側の側板本体５Ａには円周方向に回転自在のＬ型形状の金具１５を取付けた構成とする。
【００２９】
このような構成とすることによって、運搬時に小さな釘１４にＬ型形状の金具１５を掛けることにより、側板本体５Ａを木製の角棒２の裏側に、より強固に密着させることができ、運搬が更に容易になる。
【図面の簡単な説明】
【００３０】
【図１】本発明の第１の実施形態に係る工事黒板の全体の構成を示す斜視図。
【図２】図１のＡ方向矢視図。
【図３】図１のＢ方向矢視図。
【図４】本発明の第１の実施形態の要部拡大図。
【図５】本発明の第１の実施形態に係る工事黒板の使用状態を示す斜視図。
【図６】本発明の第１の実施形態に係る工事黒板の他の使用状態を示す斜視図。
【図７】本発明の第２の実施形態の要部の構成を示す図。
【図８】本発明の第３の実施形態の要部の構成を示す図。
【図９】本発明の第４の実施形態の要部の構成を示す図。
【図１０】従来の工事黒板の構成を示す斜視図。
【図１１】図１０のＣ方向矢視図。
【図１２】従来の工事黒板の使用状態を示す図。
【符号の説明】
【００３１】
１…工事黒板本体
２…木製の角棒
３…鋼製の棒
４ａ、４ｂ…金具
５…側板
５Ａ…側板本体
５ａ…溝
６…蝶番
７…コネクター
７ａ…溝
７ｂ…ピン
７ｃ…内部球体
７ｄ…外部球体
８…伸縮自在の棒
９…永久磁石
１０…小円板
１０ａ…溝
１１…布製の袋
１２…補助板
１３…永久磁石
１４…釘
１５…Ｌ字形状の金具
【図１】
2009137017.tif 000003
【図２】
2009137017.tif 000004
【図３】
2009137017.tif 000005
【図４】
2009137017.tif 000006
【図５】
2009137017.tif 000007
【図６】
2009137017.tif 000008
【図７】
2009137017.tif 000009
【図８】
2009137017.tif 000010
【図９】
2009137017.tif 000011
【図１０】
2009137017.tif 000012
【図１１】
2009137017.tif 000013
【図１２】
2009137017.tif 000014